(57)【特許請求の範囲】
【請求項１】
枠体に板体が張られた複数枚のパネルのうち、相互に接続するパネルの一方の枠体部分を構成する第１筒状フレームと、他方のパネルの枠体部分を構成する第２筒状フレームとを接合し、前記パネル同士を接続するパネルの接続構造であって、
該第１筒状フレームに形成された、その長手方向に延びる複数個の第１長穴と、
前記第１筒状フレームに挿入される長尺体であって、その長手方向に複数個のネジ穴が形成されており、前記ネジ穴の各々が対応する第１長穴の一端部側に位置するように前記長尺体を第１筒状フレームに挿入したとき、一端部側が第１筒状フレームの一端から突出するジョイナーと、
前記ジョイナーのネジ穴に螺着されて第１筒状フレームの外方に頭部が突出し、前記第１長穴の開口部よりも大径に形成された前記頭部とネジ部との間に、前記第１長穴の開口部よりも小径の小径部が形成されていると共に、前記小径部と頭部との間にテーパ部が形成された段付きネジと、
前記第２筒状フレームに、前記第１長穴の各々に対応して形成され、前記付きネジの頭部よりも幅狭の開口部から成る第２長穴とを具備し、
前記第２筒状フレームに形成した第２長穴の幅広の開口部に、前記第１筒状フレーム内に挿入したジョイナーのネジ穴に螺着した段付きネジの頭部を挿入し、前記第１筒状フレームから突出しているジョイナーの一端部側が第１筒状フレーム内に押し込まれるようにジョイナーを第１筒状フレーム内に押し込むことによって、前記段付きネジが第１長穴の他端部側及び第２長穴の幅狭の開口部に押し込まれ、前記段付きネジのテーパ部と前記第２長穴の幅狭の開口部縁とが嵌合して、前記第１筒状フレームと第２筒状フレームとが接合されることを特徴とするパネルの接続構造。
【請求項２】
パネルとして、第１筒状フレームと第２筒状フレームとが同一枠体内に設けられているパネルが用いられている請求項１記載のパネルの接続構造。
【請求項３】
第１筒状フレームに形成された第１長穴が、段付きネジの頭部よりも幅広の開口部、及び前記幅弘の開口に連続する、前記段付きネジの小径部よりも幅広で且つ前記幅広の開口部よりも幅狭の開口部から成る第１長穴である請求項１又は請求項２記載のパネルの接続構造。
【請求項４】
ジョイナーには、前記ジョイナーを第１筒状フレーム内に挿入してネジ穴が前記第１筒状フレームの対応する第１長穴の一端部側に位置するとき、前記第１長穴内に全長が位置し、前記ジョイナーの一端部側を第１筒状フレーム内に押し込まれるようにジョイナーを第１筒状フレーム内に押し込んだとき、少なくとも一部が前記第１筒状フレーム内に押し込まれて筒状部の内壁面に当接するように、前記ジョイナーの長手方向に延びる長突起部が形成されている請求項１〜３のいずれか一項記載のパネルの接続構造。
【請求項５】
ジョイナーが、ネジ穴を挟んで第１筒状フレームへの挿入方向の先方側に第１長突起部が形成され、挿入方向の後方側に前記第１長突起部よりも突出高さの高い第２長突起部が形成されたジョイナーであって、
前記第１筒状フレームが、段付きネジの頭部よりも幅広の開口部、及び前記幅広の開口部に連続する、前記段付きネジの小径部よりも幅広で且つ前記幅広の開口部よりも幅狭の開口部から成る前記第１長穴が形成された第１筒状フレームであり、
前記第１長突起部は、前記ジョイナーの長手方向に延びて形成され、前記ジョイナーを第１筒状フレーム内に挿入して対応する第１長穴の幅広の開口部にネジ穴が位置するとき、前記記第１長穴内に全長が位置し、前記ジョイナーの一端部側が第１筒状フレーム内に押し込まれるようにジョイナーを第１筒状フレーム内に押し込んだとき、少なくとも一部が第１筒状フレーム内に押し込まれて筒状部の内壁面に当接する位置に形成され、
前記第２長突起部は、前記ジョイナーの長手方向に延びて形成され、前記第１長穴の幅広の開口部にネジ穴が位置するとき、前記ネジ穴に螺着した段付きネジのテーパ面が前記第１長穴の幅広の開口部と幅狭の開口部との境界部近傍の開口縁に当接して、前記段付きネジが所定位置に位置決めされるように、前記第２長突起部の少なくとも一部が第１筒状フレームの筒状部の内壁面に当接し、前記ジョイナーの一端部側が第１筒状フレーム内に押し込まれるようにジョイナーを第１筒状フレーム内に押し込んだとき、全長が前記第１長穴内に押し出される位置に形成されている請求項１〜３のいずれか一項記載のパネルの接続構造。
【請求項６】
ジョイナーが、横断面形状がＬ字状の長尺体から成る請求項１〜５のいずれか一項記載のパネルの接続構造。
【請求項７】
ジョイナーが、横断面形状がＬ字状の長尺体であって、その端部の一方が直角に内側に曲折された曲折端に形成されている請求項１〜５のいずれか一項記載のパネルの接続構造。
【請求項８】
枠体に板体が張られた複数枚のパネルのうち、相互に接続するパネルの一方の枠体部分を構成する第１筒状フレームと、他方のパネルの枠体部分を構成する第２筒状フレームとを接合して、前記パネル同士を接続して組み立てる際に、
該パネルの一方に設けた第１筒状フレームとして、その長手方向に延びる複数個の第１長穴を形成した第１筒状フレームを用い、
長尺体の長手方向に複数個のネジ穴を形成したジョイナーを、その一端部側が前記第１筒状フレームの一端から突出するように第１筒状フレームに挿入して、前記ジョイナーの各ネジ穴を対応する第１筒状フレームの第１長穴の一端部側に位置させた後、
前記ジョイナーの各ネジ穴に、前記第１長穴の開口部よりも大径に形成された頭部とネジ部との間に、前記開口部よりも小径の小径部が形成されていると共に、前記小径部と頭部との間にテーパ部が形成された段付きネジを螺着し、
次いで、前記第１筒状フレームに形成した第１長穴に対応して、前記他方のパネルの第２筒状フレームに形成した、前記段付きネジの頭部よりも幅広の開口部に連続して、前記段付きネジの頭部よりも幅狭で且つその小径部よりも幅広の開口部が形成された第２長穴のうち、前記幅広の開口部に段付きネジの頭部を挿入し、
その後、前記第１筒状フレームから突出しているジョイナーの一端部側を第１筒状フレーム内に押し込むようにジョイナーを第１筒状フレーム内に押し込み、前記段付きネジを第２筒状フレームに形成した第２長穴の幅狭の開口部に押し込んで、前記段付きネジのテーパ部と前記第２長穴の幅狭の開口部縁とを嵌合して、前記第１筒状フレームと第２筒状フレームとを接合することを特徴とするパネルの組立方法。
【請求項９】
パネルとして、第１筒状フレームと第２筒状フレームとを同一枠体内に設けているパネルを用いる請求項８記載のパネルの組立方法。
【請求項１０】
第１筒状フレームに形成した第１長穴を、段付きネジの頭部よりも幅広の開口部、及び前記幅広の開口部に連続する、前記段付きネジの小径部よりも幅広で且つ前記幅広の開口部よりも幅狭の開口部から成る第１長穴とする請求項８又は請求項９記載のパネルの組立方法。
【請求項１１】
ジョイナーとして、第１筒状フレーム内に挿入してネジ穴が前記第１筒状フレームの対応する第１長穴の一端部側に位置するとき、前記第１長穴内に全長が位置し、前記ジョイナーの一端部側を第１筒状フレーム内に押し込まれるようにジョイナーを第１筒状フレーム内に押し込んだとき、少なくとも一部が前記第１筒状フレーム内に押し込まれて筒状部の内壁面に当接するように、前記ジョイナーの長手方向に延びる長突起部が形成されているジョイナーを用い、
前記ジョイナーを、その一端部側が前記第１筒状フレームの一端から突出するように第１筒状フレームに挿入し、前記ネジ穴が第１筒状フレームの対応する第１長穴の一端部側に位置するとき、前記第１長穴内に全長が位置するように前記ジョイナーを位置調整しつつ、前記ネジ穴に段付きネジを螺着した後、第２筒状フレームに形成した第２長穴の幅広の開口部に前記段付きネジの頭部を挿入し、
次いで、前記第１筒状フレームの一端から突出しているジョイナーの一端部側を第１筒状フレーム内に押し込むようにジョイナーを第１筒状フレーム内に押し込み、前記長突起部の少なくとも一部を第１筒状フレームの筒状部内に挿入して筒状部の内壁面に当接せしめ、前記第２筒状フレームに形成した第２長穴の幅狭の開口部に押し込んだ段付きネジのテーパ部と前記第２長穴の幅狭の開口部縁とを嵌合し、前記第１筒状フレームと第２筒状フレームとを接合する請求項８〜１０のいずれか一項記載のパネルの組立方法。
【請求項１２】
ジョイナーとして、ネジ穴を挟んで第１筒状フレームへの挿入方向の先方側に第１長突起部が形成され、挿入方向の後方側に前記第１長突起部よりも突出高さの高い第２長突起部が形成されたジョイナーと、前記第１筒状フレームとして、段付きネジの頭部よりも幅広の開口部、及び前記幅広の開口部に連続する、前記段付きネジの小径部よりも幅広で且つ前記幅広の開口部よりも幅狭の開口部から成る第１長穴を形成した第１筒状フレームとを用い、
前記第１筒状フレーム内にジョイナーの一端部側が第１筒状フレームの一端から突出するようにジョイナーを挿入して、前記ジョイナーの第１長突起部の全長を前記第１長穴内とすると共に、前記第１長穴の幅広の開口部に位置するジョイナーのネジ穴に螺着した段付きネジのテーパ面を前記第１長穴の幅広の開口部と幅狭の開口部との境界部近傍の開口縁に当接して、前記段付きネジを所定位置に位置決めするように、前記第２長突起部の少なくとも一部を第１筒状フレームの筒状部の内壁面に当接し、
次いで、前記段付きネジの頭部を第２筒状フレームに形成した第２長穴の幅広の開口部に挿入した後、
前記第１筒状フレームの一端から突出しているジョイナーの一端部側を第１筒状フレーム内に押し込むようにジョイナーを第１筒状フレーム内に押し込み、前記第２長突起部の全長を第１長穴内に押し出すと共に、前記第１長突起部の少なくとも一部を第１筒状フレームの筒状部内に挿入して筒状部の内壁面に当接し、前記第２筒状フレームに形成した第２長穴の幅狭の開口部に押し込んだ段付きネジのテーパ部と前記第２長穴の幅狭の開口部縁とを嵌合し、前記第１筒状フレームと第２筒状フレームとを接合する請求項８〜１０のいずれか一項記載のパネルの組立方法。
【請求項１３】
ジョイナーとして、横断面形状がＬ字状の長尺体から成るジョイナーを用いる請求項８〜１２のいずれか一項記載のパネルの組立方法。
【請求項１４】
ジョイナーとして、横断面形状がＬ字状の長尺体であって、横断面形状がＬ字状の長尺体であって、その端部の一方が直角に内側に曲折された曲折端に形成されているジョイナーを用いる請求項８〜１２のいずれか一項記載のパネルの組立方法。
【発明の詳細な説明】
【０００１】
【発明の属する技術分野】
本発明はパネルの接続構造及びその組立方法に関し、更に詳細には枠体に化粧板等の板体が張られた複数枚のパネルを相互に接続するパネルの接続構造及びその組立方法に関する。
【０００２】
【従来の技術】
枠体に化粧板等の板体が張られた複数枚のパネルを相互に接続するパネルの接続構造としては、特許文献１において、パネルと柱とを順次組み立てることができるパネルの接続構造が提案されている。
【特許文献１】
特開２０００−１７７５９号公報（図３、図４）
このパネルの接続構造は、図２０（ａ）（ｂ）に示す如く、化粧板等の面材２０２が一体化された枠体２０４に、係止部としての切欠部２０６，２０６・・が形成されたパネル２００と、パネル２００の切欠部２０６，２０６・・に挿入されて係止される係止片２０８，２０８・・が壁面から突出して突設されたコーナ用スタッド２１０ａ及びヒラ用スタッド２１０ｂとを用いる。
かかるパネル２００を床部２１２上に立設した後、コーナ用スタッド２１０ａ又はヒラ用スタッド２１０ｂの側端面の一方に設けられた係止片２０８，２０８・・を、パネル２００の切欠部２０６，２０６・・に挿入し係止することによって両者を一体化できる。この様にして、パネル２００とコーナ用スタッド２１０ａ又はヒラ用スタッド２１０ｂとを、床部２１２の縁に沿って順次組み立てることが可能である。
【０００３】
【発明が解決しようとする課題】
図２０に示すパネル２００、コーナ用スタッド２１０ａ及びヒラ用スタッド２１０ｂを用いることによって、複数枚のパネル２００，２００・・の組み立てを容易に行うことができる。
しかしながら、図２０に示すパネル２００、コーナ用スタッド２１０ａ及びヒラ用スタッド２１０ｂは、その形状が複雑である。このため、これらの部材の製造コストが高くなり易い。
しかも、パネル２００の切欠部２０６の各々と、対応するコーナ用スタッド２１０ａ又はヒラ用スタッド２１０ｂの係止片２０８とを一致させることは、施工者にとって簡単ではなく熟練を要することである。
【０００４】
このため、本発明者等は、簡易な構造で熟練を要することなく複数枚のパネルを容易に組み立てるパネルの接続構造として、図２１〜２３に示す接続構造を試みた。この接続構造では、パネルとパネルとを接続するジョイナーを用いる。
先ず、図２１（ａ）に示す様に、パネル１００を構成する枠体のうち、他方のパネルの枠体と接続される部分に筒状フレーム１０２を設け、筒状フレーム１０２には、その長軸方向に開口された複数個の長穴１０４，１０４・・を形成した。長穴１０４は、図２１（ｂ）に示す様に、上端部側の開口部１０４ａが下端部側の開口部１０４ｂよりも幅広に開口されているものである。
かかる筒状フレーム１０２内には、横断面形状がＬ字状の長尺体であるジョイナー１０６を挿入する。このジョイナー１０６には、筒状フレーム１０２に形成された長穴１０４，１０４・・の各上端部側の開口部１０４ａに対応する位置にネジ穴１０６ａが形成されている。このネジ穴１０６ａには、図２１（ｂ）に示す様に、筒状フレーム１０２の長穴１０４を通して平ネジ１０８を螺着する。
平ネジ１０８が、筒状フレーム１０２に挿入されたジョイナー１０６に螺着された状態を、長穴１０４の上端部側の開口部１０４ａにおける横断面図である図２２に示す。図２２から明らかな様に、平ネジ１０８の頭部１０８ａは、ネジ部１０８ｂ側から徐々に拡径するテーパ状に形成されている。このテーパ状の頭部１０８ａの最大径は、長穴１０４の上端部側の開口部１０４ａよりも小径であるが、長穴１０４の下端部側の開口部１０４ｂよりも大径である。
【０００５】
この様に、パネル１００の筒状フレーム１０２に形成された長穴１０４，１０４・・の各々を介してジョイナー１０６のネジ穴１０６ａに螺着された平ネジ１０８の頭部１０８ａを、図２３（ａ）に示す様に、他方のパネル１２０の枠体を構成する筒状フレーム１２２に開口した長穴１２４に挿入する。この筒状フレーム１２２に開口した長穴１２４は、図２３（ｂ）に示す様に、上端部側の開口部１２４ａは、平ネジ１０８の頭部１０８ａの最大径よりも幅広に形成されていると共に、下端部側の開口部１２４ｂは、平ネジ１０８の頭部１０８ａの最大径よりも幅狭に形成されている。
かかる筒状フレーム１２２の長穴１２４には、平ネジ１０８の頭部１０８ａが上端部側の開口部１２４ａから挿入される。
次いで、ジョイナー１０６を筒状フレーム１０２内に更に挿入し、平ネジ１０８の頭部１０８ａを、長穴１０４，１２４の下端部側の開口部１０４ｂ、１２４ｂに挿入する。
長穴１０４，１２４の下端部側の開口部１０４ｂ、１２４ｂは、平ネジ１０８の頭部１０８ａの最大径よりも幅狭に形成されている。このため、図２４に示す様に、筒状フレーム１０２，１２２に形成された長穴１０４，１２４の下端部側の開口部１０４ｂ、１２４ｂに、平ネジ１２８が押し込まれると、平ネジ１０８のテーパ面によって、開口部１０４ｂ、１２４ｂの開口縁部がジョイナー１０６に押し付けられると共に、開口部１０４ｂ、１２４ｂの開口縁部がテーパ面に嵌合して筒状フレーム１０２，１２２が一体化される。
この様に、図２１〜図２４に示すジョイナー１０６に螺着された平ネジ１０８のテーパ面を利用した接続構造は、簡単な構造でパネル同士を接続できる。
しかしながら、図２１〜図２４に示すジョイナー１０６に螺着された平ネジ１０８のテーパ面を利用した接続構造では、パネルを構成する化粧板等の板体や板体を枠体に接着する接着剤層に厚み斑が存在する場合、厚み斑に応じて筒状フレーム１０２，１２２を位置調整することが極めて困難であるため、複数枚のパネルを接続したとき、パネル間に段差ができやすいことが判明した。
そこで、本発明の課題は、パネルを構成する化粧板等の板体や板体を枠体に接着する接着剤層に厚み斑等が存在していても、複数枚のパネルを接続したとき、パネル間の段差を容易に解消し得るパネルの接続構造及びその組立方法を提供することにある。
【０００６】
【課題を解決するための手段】
本発明者等は、前記課題を解決するには、パネルを構成する化粧板等の板体や板体を枠体に接着する接着剤層に厚み斑が存在する場合、厚み斑に応じて接続する筒状フレームの相互の位置を調整できる接続構造が有効であると考え検討した結果、本発明に到達した。
すなわち、本発明は、枠体に板体が張られた複数枚のパネルのうち、相互に接続するパネルの一方の枠体部分を構成する第１筒状フレームと、他方のパネルの枠体部分を構成する第２筒状フレームとを接合し、前記パネル同士を接続するパネルの接続構造であって、該第１筒状フレームに形成された、その長手方向に延びる複数個の第１長穴と、前記第１筒状フレームに挿入される長尺体であって、その長手方向に複数個のネジ穴が形成されており、前記ネジ穴の各々が対応する第１長穴の一端部側に位置するように前記長尺体を第１筒状フレームに挿入したとき、一端部側が第１筒状フレームの一端から突出するジョイナーと、前記ジョイナーのネジ穴に螺着されて第１筒状フレームの外方に頭部が突出し、前記第１長穴の開口部よりも大径に形成された前記頭部とネジ部との間に、前記第１長穴の開口部よりも小径の小径部が形成されていると共に、前記小径部と頭部との間にテーパ部が形成された段付きネジと、前記第２筒状フレームに、前記第１長穴の各々に対応して形成され、前記付きネジの頭部よりも幅狭の開口部から成る第２長穴とを具備し、前記第２筒状フレームに形成した第２長穴の幅広の開口部に、前記第１筒状フレーム内に挿入したジョイナーのネジ穴に螺着した段付きネジの頭部を挿入し、前記第１筒状フレームから突出しているジョイナーの一端部側が第１筒状フレーム内に押し込まれるようにジョイナーを第１筒状フレーム内に押し込むことによって、前記段付きネジが第１長穴の他端部側及び第２長穴の幅狭の開口部に押し込まれ、前記段付きネジのテーパ部と前記第２長穴の幅狭の開口部縁とが嵌合して、前記第１筒状フレームと第２筒状フレームとが接合されることを特徴とするパネルの接続構造にある。
【０００７】
また、本発明は、枠体に板体が張られた複数枚のパネルのうち、相互に接続するパネルの一方の枠体部分を構成する第１筒状フレームと、他方のパネルの枠体部分を構成する第２筒状フレームとを接合して、前記パネル同士を接続して組み立てる際に、該パネルの一方に設けた第１筒状フレームとして、その長手方向に延びる複数個の第１長穴を形成した第１筒状フレームを用い、長尺体の長手方向に複数個のネジ穴を形成したジョイナーを、その一端部側が前記第１筒状フレームの一端から突出するように第１筒状フレームに挿入して、前記ジョイナーの各ネジ穴を対応する第１筒状フレームの第１長穴の一端部側に位置させた後、前記ジョイナーの各ネジ穴に、前記第１長穴の開口部よりも大径に形成された頭部とネジ部との間に、前記開口部よりも小径の小径部が形成されていると共に、前記小径部と頭部との間にテーパ部が形成された段付きネジを螺着し、次いで、前記第１筒状フレームに形成した第１長穴に対応して、前記他方のパネルの第２筒状フレームに形成した、前記段付きネジの頭部よりも幅広の開口部に連続して、前記段付きネジの頭部よりも幅狭で且つその小径部よりも幅広の開口部が形成された第２長穴のうち、前記幅広の開口部に段付きネジの頭部を挿入し、その後、前記第１筒状フレームから突出しているジョイナーの一端部側を第１筒状フレーム内に押し込むようにジョイナーを第１筒状フレーム内に押し込み、前記段付きネジを第２筒状フレームに形成した第２長穴の幅狭の開口部に押し込んで、前記段付きネジのテーパ部と前記第２長穴の幅狭の開口部縁とを嵌合して、前記第１筒状フレームと第２筒状フレームとを接合することを特徴とするパネルの組立方法にある。
【０００８】
かかる本発明において、パネルとして、第１筒状フレームと第２筒状フレームとが同一枠体内に設けられているパネルを用いることによって、複数枚のパネルを順次組み立てることができる。
更に、第１筒状フレームに形成された第１長穴を、段付きネジの頭部よりも幅広の開口部、及び前記幅弘の開口に連続する、前記段付きネジの小径部よりも幅広で且つ前記幅広の開口部よりも幅狭の開口部から成る第１長穴とすることによって、ジョイナーのネジ穴に段付きネジを容易に螺着できる。
また、ジョイナーとして、ジョイナーとして、第１筒状フレーム内に挿入してネジ穴が前記第１筒状フレームの対応する第１長穴の一端部側に位置するとき、前記第１長穴内に全長が位置し、前記ジョイナーの一端部側を第１筒状フレーム内に押し込まれるようにジョイナーを第１筒状フレーム内に押し込んだとき、少なくとも一部が前記第１筒状フレーム内に押し込まれて筒状部の内壁面に当接するように、前記ジョイナーの長手方向に延びる長突起部が形成されているジョイナーを用い、前記ジョイナーを、その一端部側が前記第１筒状フレームの一端から突出するように第１筒状フレームに挿入し、前記ネジ穴が第１筒状フレームの対応する第１長穴の一端部側に位置するとき、前記第１長穴内に全長が位置するように前記ジョイナーを位置調整しつつ、前記ネジ穴に段付きネジを螺着した後、第２筒状フレームに形成した第２長穴の幅広の開口部に前記段付きネジの頭部を挿入し、次いで、前記第１筒状フレームの一端から突出しているジョイナーの一端部側を第１筒状フレーム内に押し込むようにジョイナーを第１筒状フレーム内に押し込み、前記長突起部の少なくとも一部を第１筒状フレームの筒状部内に挿入して筒状部の内壁面に当接せしめ、前記第２筒状フレームに形成した第２長穴の幅狭の開口部に押し込んだ段付きネジのテーパ部と前記第２長穴の幅狭の開口部縁とを嵌合し、前記第１筒状フレームと第２筒状フレームとを接合することによって、段付きネジの第１筒状フレームからの突出長の調整を確実に行うことができる。
【０００９】
かかるジョイナーとして、ネジ穴を挟んで第１筒状フレームへの挿入方向の先方側に第１長突起部が形成され、挿入方向の後方側に前記第１長突起部よりも突出高さの高い第２長突起部が形成されたジョイナーと、前記第１筒状フレームとして、段付きネジの頭部よりも幅広の開口部、及び前記幅広の開口部に連続する、前記段付きネジの小径部よりも幅広で且つ前記幅広の開口部よりも幅狭の開口部から成る第１長穴を形成した第１筒状フレームとを用い、前記第１筒状フレーム内にジョイナーの一端部側が第１筒状フレームの一端から突出するようにジョイナーを挿入して、前記ジョイナーの第１長突起部の全長を前記第１長穴内とすると共に、前記第１長穴の幅広の開口部に位置するジョイナーのネジ穴に螺着した段付きネジのテーパ面を前記第１長穴の幅広の開口部と幅狭の開口部との境界部近傍の開口縁に当接して、前記段付きネジを所定位置に位置決めするように、前記第２長突起部の少なくとも一部を第１筒状フレームの筒状部の内壁面に当接し、次いで、前記段付きネジの頭部を第２筒状フレームに形成した第２長穴の幅広の開口部に挿入した後、前記第１筒状フレームの一端から突出しているジョイナーの一端部側を第１筒状フレーム内に押し込むようにジョイナーを第１筒状フレーム内に押し込み、前記第２長突起部の全長を第１長穴内に押し出すと共に、前記第１長突起部の少なくとも一部を第１筒状フレームの筒状部内に挿入して筒状部の内壁面に当接し、前記第２筒状フレームに形成した第２長穴の幅狭の開口部に押し込んだ段付きネジのテーパ部と前記第２長穴の幅狭の開口部縁とを嵌合し、前記第１筒状フレームと第２筒状フレームとを接合することにより、第１筒状フレーム内に挿入したジョイナーに形成した複数個のネジ穴の各々を、第１筒状フレームの対応する長穴に位置決めした状態を保持しつつ、各ネジ穴に段付きネジに段付きネジを螺着できる。
このジョイナーとしては、横断面形状がＬ字状の長尺体から成るジョイナーを用いることによって、ジョイナーを第１筒状フレーム内に挿入したとき、ジョイナーの第１筒状フレームの横断面方向への位置決めを容易に行うことができる。
かかる横断面形状がＬ字状のジョイナーとしては、その端部の一方が直角に内側に曲折された曲折端に形成されているジョイナーを用いることにより、ジョイナーの強度を向上でき、振動等を防止できる。
【００１０】
本発明によれば、パネルを構成する化粧板等の板体や板体を枠体に接着する接着剤層に厚み斑が存在する場合、段付きネジの小径部について、第１筒状フレームに開口した第１長穴の幅方向の位置を、板体等の厚み斑に応じて調整することによって、接続する筒状フレームの相互の位置を調整できる。
その結果、化粧板等の板体や板体を枠体に接着する接着剤層に厚み斑が存在していても、パネル間の段差を容易に解消できる。
【００１１】
【発明の実施の形態】
本発明に係るパネルの接続構造において用いる部材の一例を図１に示す。図１に示す部材は、枠体に化粧板等の板体１２が張られたパネル１０と、長尺体のジョイナー１４とである。
パネル１０は、パネル１０を構成する枠体のうち、他方のパネルの枠体と接続される部分には、第１筒状フレーム１６が設けられている。この第１筒状フレーム１６には、その長軸方向に複数個の第１長穴が開口されている。この第１長穴は、第１筒状フレーム１６の上端部（図１において円Ａの部分）の拡大図である図２に示す様に、第１長穴の一端部側に形成された開口部１８ａと、開口部１８ａよりも幅狭で且つ第１長穴の他端部側に形成されている開口部１８ｂとが連続して形成された第１長穴１８である（以下、開口部１８ａを幅広の開口部１８ａ、開口部１８ｂを幅狭の開口部１８ｂと称することがある）。
また、図１に示すジョイナー１４は、その上端部（図１において円Ｂの部分）の拡大図である図３（ａ）に示す様に、横断面形状がＬ字状の長尺体であって、切欠部にネジ穴１４ａと長尺体の長手方向に延びる長突起部１４ｂとが形成されている。この長突起部１４ｂは、図３（ａ）のＸ−Ｘ面における横断面図である図３（ｂ）に示す様に、ネジ穴１４ａの近傍の長尺体部分を外方に突出して形成したものである。
かかるネジ穴１４ａと長突起部１４ｂとは、図４に示す様に、ジョイナー１４を第１筒状フレーム１６内に挿入し、ネジ穴１４ａが第１筒状フレーム１６の対応する第１長穴１８の幅広の開口部１８ａに位置したとき、長突起部１４ｂが第１長穴１８内に全長が位置する位置関係にある。
ここで、ジョイナー１４が、横断面形状がＬ字状の長尺体から成るため、第１筒状フレーム１６内にジョイナー１４を挿入したとき、ネジ穴１４ａを第１長穴１８の形成面に近接した状態でジョイナー１４を挿入でき、ジョイナー１４のネジ穴１４ａを第１筒状フレーム１６の対応する第１長穴１８に容易に位置決めできる。
尚、ジョイナー１４に形成された切欠部は、長突起部１４ｂを形成する際に設けたものであり、長突起部１４ｂの形成に不要であれば設けることを要しない。
【００１２】
図４（ａ）に示す様に、ジョイナー１４が第１筒状フレーム１６内に挿入されて対応する第１長穴１８に位置したネジ穴１４ａには、ネジ２０が螺着される。このネジ２０は、図４（ｂ）に示す様に、段付きネジである（以下、単に段付きネジ２０と称することがある）。かかる段付きネジ２０には、第１長穴１８の幅広の開口部１８ａよりも小径で且つ幅狭の開口部１８ｂよりも大径に形成された頭部２０ａとネジ部２０ｂとの間に、第１長穴１８の幅狭の開口部１８ｂよりも小径の小径部２０ｃが形成されていると共に、小径部２０ｃと頭部２０ａとの間にテーパ部２０ｄが形成されている。
【００１３】
第１筒状フレーム１６に挿入されたジョイナー１４のネジ穴１４ａに、第１長穴１８の幅広の開口部１８ａから螺着された段付きネジ２０には、図５に示す様に、他方のパネル３０の枠体に設けられた第２筒状フレーム３４に開口された第２長穴３６が挿入される。このパネル３０は、パネル１０と接続される他方のパネルであって、パネル１０と同様に、枠体に化粧板等の板体３２が張られている。
かかるパネル３０に設けられた第２筒状フレーム３４には、パネル１０の第１筒状フレーム１６に形成された第１長穴１８，１８・・に対応する位置に、第２長穴３６が形成されている。この第２長穴３６は、図５に示す様に、第２長穴３６の一端部側に形成された開口部３６ａと、開口部３６ａよりも幅狭で且つ第２長穴３６の他端部側に形成されているの開口部３６ｂとが連続して形成されている（以下、開口部３６ａを幅広の開口部３６ａ、開口部３６ｂを幅狭の開口部３６ｂと称することがある）。
図５に示す第２筒状フレーム３４に形成した第２長穴３６の長さは、第１筒状フレーム１６の第１長穴１８と同一長さであるが、その幅広の開口部３６ａは、第１長穴１８の開口部１８ａよりも小径で且つ段付きネジ２０の頭部２０ａよりも幅広に形成されている。更に、この開口部３６ａに連続して形成されている幅狭の開口部３６ｂは、段付きネジ２０の小径部２０ｃよりも幅広に形成されているが、頭部２０ａよりも幅狭に形成されている。
【００１４】
図５に示す様に、第１筒状フレーム１６に挿入されたジョイナー１４のネジ穴１４ａに、第１長穴１８の幅広の開口部１８ａから螺着された段付きネジ２０に、他方のパネル３０の枠体に設けられた第２筒状フレーム３４に開口された第２長穴３６が挿入されたときの状態を図６に示す。
ジョイナー１４のネジ穴１４ａに螺着された段付きネジ２０の頭部２０ａは、第１長穴１８及び第２長穴３６の幅広の開口部１８ａ，３６ａを貫通して第２筒状フレーム３６内に突出しており、段付きネジ２０の小径部２０ｃ及びテーパ部２０ｄの少なくとも一部は、第１長穴１８及び第２長穴３６内に位置する。
また、ジョイナー１４に形成された長突起部１４ｂは、その全長が第１長穴１８及び第２長穴３６内に位置する。
【００１５】
図１〜図６に示すパネルの接続構造では、パネル１０の第１筒状フレーム１６内に挿入されたジョイナー１４は、図４（ａ）及び図５に示す様に、その上端部が第１筒状フレーム１６の上端から突出している。
かかるジョイナー１４の突出部分を、図５に示す様に、第１筒状フレーム１６に挿入されたジョイナー１４のネジ穴１４ａに、第１長穴１８の幅広の開口部１８ａから螺着された段付きネジ２０に、他方のパネル３０の枠体に設けられた第２筒状フレーム３４に開口された第２長穴３６を挿入した後、第１筒状フレーム１６内に挿入することによって、パネル１０とパネル３０とを接合できる。
このジョイナー１４の突出部分を第１筒状フレーム１６内に挿入した状態を図７に示す。ジョイナー１４の突出部分を第１筒状フレーム１６内に挿入することによって、段付きネジ２０を第２長穴３６の幅狭の開口部３６ａに移動する。
かかる段付きネジ２０の移動に伴ない、図８に示す様に、ジョイナー１４に形成された長突起部１４ｂは、第１筒状フレーム１６の筒状部内に押し込まれ、筒状部の内壁面に当接するため、ジョイナー１４に螺着されている段付きネジ２０を第１筒状フレーム１６側に引き込む。
一方、第２筒状フレーム３４内に突出している段付きネジ２０の頭部２０ａは、第２長穴３６の幅狭の開口部３６ｂよりも大径であるため、第１筒状フレーム１６側に引き込まれた段付きネジ２０は、図９に示す様に、そのテーパ部２０ｄのテーパ面に開口部３６ｂの開口縁が当接して嵌合し、第１筒状フレーム１６と第２筒状フレーム３４とを接合できる。
【００１６】
また、ジョイナー１４の突出部分を第１筒状フレーム１６内に挿入した際に、段付きネジ２０の小径部２０ｃも、その第１長穴１８の幅狭の開口部１８ｂを移動する。この小径部２０ｃは、開口部１８ｂよりも小径であるため、テーパ部２０ｄのテーパ面に開口部３６ｂの開口縁が当接して嵌合し、第１筒状フレーム１６と第２筒状フレーム３４とを接合したときでも、図９に示す様に、開口部１８ｂの開口縁と小径部２０ｃとの間には間隙が形成される。
このため、図１０に示す様に、化粧板等の板体１２，３２の厚さが若干相違する場合には、ジョイナー１４の突出部分を第１筒状フレーム１６内に挿入する際に、段付きネジ２０の小径部２０ｃについて、第１筒状フレーム１６に形成した幅狭の開口部１８の幅方向に対する位置を調整することによって、板体１２，３２の厚さの相違を調整できる。その結果、接続したパネル１０とパネル３０との表面を均一面にできる。
【００１７】
これまで説明した図１〜図１０では、第１筒状フレーム１６と第２筒状フレーム３４とが、異なるパネルに設けられていたが、両フレームを同一パネルの枠体に設けることによって、複数枚のパネルを次々に接続することができる。
また、パネル１０の第１筒状フレーム１６に形成した第１長穴１８には、第１筒状フレーム１６に挿入されたジョイナー１４のネジ穴１４ａへの段付きネジ２０の螺着を容易に行うことができるように幅広の開口部１８ａを形成していたが、段付きネジ２０の螺着に問題がなければ、同一幅の開口部から成る第１長穴１８であってもよい。
【００１８】
ところで、ジョイナー１４には、複数個のネジ穴１４ａ，１４ａ・・が設けられている。かかるジョイナー１４のネジ穴１４ａ，１４ａ・・の各々に、段付きネジ２０を螺着する際には、ジョイナー１４を複数個の第１長穴１８，１８・・が長手方向に形成された第１筒状フレーム１６内に挿入し、第１筒状フレーム１６の対応する第１長穴１８に臨むネジ穴１４ａに段付きネジ２０を螺着する。
しかし、図１〜図１０に示すジョイナー１４には、ネジ穴１４ａの近傍に１個の長突起部１４ｂが形成されているが、ジョイナー１４を手で把持して第１筒状フレーム１６内に挿入し、第１長穴１８内にネジ穴１４ａが位置するように位置調整した後、ジョイナー１４を把持しつつ、手近の第１長穴１８に臨むネジ穴１４ａに段付きネジ２０を螺着した後、他の第１長穴１８に臨むネジ穴１４ａに段付きネジ２０を螺着すべく、ジョイナー１４の把持を開放すると、ジョイナー１４が更に第１筒状フレーム１６内に自重で挿入されるため、他のネジ穴１４ａが第１長穴１８から外れて段付きネジ２０を螺着できなくなる。
このため、図１１（ａ）（ｂ）に示す様に、ネジ穴１４ａを挟んで異なる突出高さの第１長突起部１４Ｂと第２長突起部１４Ｃとが形成されたジョイナー１４を用いることによって、ジョイナー１４の長手方向に形成された複数個のネジ穴１４ａ，１４ａ・・の各々に容易に段付きネジ２０を螺着できる。
かかる第１長突起部１４Ｂと第２長突起部１４Ｃとの各々は、ネジ穴１４ａの近傍の長尺体部分を外方に突出して形成したものである。
【００１９】
図１１（ａ）（ｂ）に示すジョイナー１４に形成された第２長突起部１４Ｃは、図１１（ａ）に示す様に、第１長突起部１４Ｂよりも突出高さが高くなるように形成され、第１長突起部１４Ｂは、図１１（ｂ）に示す様に、ネジ穴１４ａよりも第１筒状フレームへの挿入方向側に形成されている。
この第１長突起部１４Ｂと第２長突起部１４Ｃとは、ジョイナー１４を第１筒状フレーム１６に挿入し、第１長穴１８の幅狭の開口部１８ｂ内に第１長突起部１４Ｂの全長が位置するように調整したとき、第２長突起部１４Ｃが第１筒状フレーム１６の筒状部内に位置する。
更に、ジョイナー１４を第１筒状フレーム１６内に挿入し、第２長突起部１４Ｃの全長が第１長穴１８内に位置したときは、第１長突起部１４Ｂの少なくとも一部は、第１筒状フレーム１６の筒状部内に挿入される。
【００２０】
かかる第１長突起部１４Ｂと第２長突起部１４Ｃとが形成されたジョイナー１４を手で把持して第１筒状フレーム１６に挿入し、図１２（ａ）（ｂ）に示す様に、第１長穴１８の幅狭の開口部１８ｂ内に第１長突起部１４Ｂの全長が位置するように位置調整したとき、ジョイナー１４のネジ穴１４ａが第１長穴１８の幅広の開口部１８ａ内に位置すると共に、第２長突起部１４Ｃが第１筒状フレーム１６内に位置する。
この第１長穴１８は、図１２（ａ）に示す様に、幅広の開口部１８ａと幅狭の開口部１８ｂとから形成されており、手近の開口部１８の幅広の開口部１８ａに臨むネジ穴１４ａに段付きネジ２０を容易に螺着できる。
【００２１】
次いで、他のネジ穴１４ａに段付きネジ２０を螺着すべく、ジョイナー１４の把持を開放しても、図１３（ａ）（ｂ）に示す様に、段付きネジ２０は第１長穴１８の幅広の開口部１８ａと幅狭の開口部１８ｂとの境界部近傍に留まっている。
すなわち、ジョイナー１４に形成された、第１長突起部１４Ｂよりも突出高が高い第２長突起部１４Ｃは、その一部が第１筒状フレーム１６の筒状部内に位置するとき、筒状部の内壁面に当接し、段付きネジ２０を第１筒状フレーム１６の内方に引き込む。このため、図１４に示す様に、段付きネジ２０のテーパ部２０ｄのテーパ面が、第１長穴１８の幅広の開口部１８ａと幅狭の開口部１８ｂとの境界部近傍の開口縁に当接し、段付きネジ２０を所定位置に位置決めする。
この様に、ジョイナー１４に形成された複数個のネジ穴１４ａ，１４ａ・・のうち、１個のネジ穴１４ａに螺着された段付きネジ２０が、第１長穴１８の幅広の開口部１８ａと幅狭の開口部１８ｂとの境界部近傍に位置決めされたとき、他のネジ穴１４ａも対応する第１長穴１８の幅広の開口部１８ａと幅狭の開口部１８ｂとの境界部近傍に位置しており、各ネジ穴１４ａに段付きネジ２０を容易に螺着できる。
【００２２】
第１筒状フレーム１６に形成された各第１長穴１８から対応するジョイナー１４のネジ穴１４ａに螺着された段付きネジ２０には、図１６に示す様に、第２筒状フレーム３４の対応する第２長穴３６が挿入される。この第２長穴３６は、図１５に示す様に、幅広の開口部３６ａと幅狭の開口部３６ｂとから成る。幅広の開口部３６ａは、第１筒状フレーム１６に形成される幅広の開口部１８ａに比較して、第２筒状フレーム３４の長手方向に長形に形成されている。ジョイナー１４に螺着された段付きネジ２０の第２長穴３６内への挿入を容易とするためである。
【００２３】
図１６に示す様に、挿入されたジョイナー１４のネジ穴１４ａに対応する第１筒状フレーム１６の第１長穴１８から挿入されて螺着されていると共に、対応する第２筒状フレーム３４の第２長穴３６に挿入された段付きネジ２０は、ジョイナー１４の突出部分を挿入することによって、第１長穴１８の幅狭の開口部１８ｂに押し込まれつつ、第２長穴３６の幅広の開口部３６ａと幅狭の開口部３６ｂとの境界部近傍に至る。このとき、ジョイナー１４に形成された第２長突起部１４Ｃは、第１長穴１８及び第２長穴３６内に押し出され、段付きネジ２０を第１筒状フレーム１６内に引き込む作用は消滅するが、第１長突起部１４Ｂは、第１筒状フレーム１６の一部が筒状部内に押し込まれる。このため、第１長突起部１４Ｂの一部は、第１筒状フレーム１６の筒状部の内壁面に当接し、段付きネジ２０の第１筒状フレーム１６に対する内外方向の位置を規制する。
しかし、第１長突起部１４Ｂの突出高さは、第２長突起部１４Ｃよりも低いため、図１７に示す様に、段付きネジ２０の小径部２０ｃが第１長穴１８の幅狭の開口部１８ｂに位置するように段付きネジ２０の位置を規制する。
このため、図１７に示す様に、段付きネジ２０と第１長穴１８及び第２長穴３６の開口縁との間に隙間が形成され、第１筒状フレーム１６及び第２筒状フレーム３６の位置調整を行いつつ、ジョイナー１４の突出部分を挿入し、段付きネジ２０を第１長穴１８及び第２長穴３６の幅狭の開口部１８ｂ，３６ｂに挿入する。その結果、段付きネジ２０は、図９に示す様に、そのテーパ部２０ｄのテーパ面に開口部３６ｂの開口縁が当接して嵌合し、第１筒状フレーム１６と第２筒状フレーム３４とを接合する。
【００２４】
以上の説明では、ジョイナー１４としては、横断面形状がＬ字状の長尺体を用いていたが、ジョイナー１４を第１筒状フレーム１６内に挿入する際に、振動等が発生する場合がある。この場合には、図１８に示す様に、横断面形状がＬ字状の長尺体であって、その端部の一方を直角に内側に曲折した曲折端１５に形成したジョイナー１４を用いることが好ましい。図１８に示す横断面形状のジョイナー１４によれば、ジョイナー１４の強度を向上できるからである。
また、図１〜１８に示すジョイナー１４には、長突起部１４ｂ，１４Ｂ，１４Ｃを形成していたが、かかる長突起部を形成しないジョイナーを用いる場合であっても、段付きネジ２０を用いることによって、段付きネジ２０の小径部２０ｃにより、第１筒状フレーム１６に開口した第１長穴１８の幅方向の位置を調整することは可能である。
但し、このジョイナーを第１筒状フレーム１６内に挿入し、第１筒状フレーム１６及び第２筒状フレーム３６に形成した第１長穴１８及び第２長穴３６の幅狭の開口部１８ｂ，３６ｂに、ジョイナーに螺着した段付きネジ２０を挿入したとき、段付きネジ２０のテーパ部２０ｄのテーパ面が開口部３６ｂの開口縁に当接するように、段付きネジ２０の小径部２０ｃの長さを調整することを要する。
更に、ジョイナー１４としては、その第２長突起部１４Ｃを、図１９に示す様に、スポンジやゴム等の弾性部材を接着剤や両面接着テープ等の接着材によって長尺体に接着して形成したジョイナー１４を用いることができる。かかる弾性部材から成る第２長突起部１４Ｃでも、その弾性部材の一部が押し潰されて第１筒状フレーム１６の筒状部内に位置するとき、押し潰された弾性部材の弾発力により、段付きネジ２０を第１筒状フレーム１６の内方に引き込む。このため、図１４と同様に、段付きネジ２０のテーパ部２０ｄのテーパ面が、第１長穴１８の幅広の開口部１８ａと幅狭の開口部１８ｂとの境界部近傍の開口縁に当接し、段付きネジ２０を所定位置に位置決めできる。
【００２５】
【発明の効果】
本発明によれば、化粧板等の板体や板体を枠体に接着する接着剤層に厚み斑が存在していても、パネル間の段差を容易に解消できる結果、接続したパネルの表面を均一面とすることができる。
【図面の簡単な説明】
【図１】  本発明に係るパネルの接続構造に用いる部材の一例を説明する斜視図である。
【図２】  図１に示すパネル１０の部分拡大斜視図である。
【図３】  図１に示すジョイナー１４の部分拡大斜視図及び横断面図である。
【図４】  パネル１０の第１筒状フレーム１６にジョイナー１４を挿入した状態を説明する部分斜視図及びジョイナー１４のネジ穴１４ａに螺着する段付きネジ２０の平面図である。
【図５】  図４に示す段付きネジ２０に他方のパネル３０に設けられた第２筒状フレーム３４の第２長穴３６を挿入した状態を説明する部分断面斜視図である。
【図６】  図５における第１筒状フレームと第２筒状フレームとの状態を説明する部分縦断面図である。
【図７】  図５に示すジョイナー１４の突出部分を第１筒状フレーム１６内に挿入した状態を説明する部分断面斜視図である。
【図８】  図７における第１筒状フレームと第２筒状フレームとの状態を説明する部分縦断面図である。
【図９】  図７における第１筒状フレームと第２筒状フレームとの接続状態を説明する横断面図である。
【図１０】  板体１２，３２の厚さが相違する場合の調整方法を説明する横断面図である。
【図１１】  ジョイナーの他の例を説明する正面図及び側面図である。
【図１２】  ジョイナーに形成した第１長突起部及び第２長突起部、及び第１筒状フレームに形成した長穴との関係を説明する説明図である。
【図１３】  ジョイナーに形成した第１長突起部及び第２長突起部、及び第１筒状フレームに形成した長穴との関係を説明する説明図である。
【図１４】  図１３に示す位置の段付きネジの状態を説明する断面図である。
【図１５】  第２筒状フレームに形成された長穴の形状を説明する部分平面図である。
【図１６】  第１筒状フレームに挿入されたジョイナーに螺着された段付きネジに第２筒状フレームの長穴を挿入した状態を説明する部分縦断面図である。
【図１７】  図１６に示す位置の段付きネジの状態を説明する断面図である。
【図１８】  ジョイナーの他の例を説明する横断面図である。
【図１９】  ジョイナーの他の例を説明する横断面図である。
【図２０】  従来のパネルの接続構造を説明する部分斜視図である。
【図２１】  改良したパネルの接続構造に用いるパネル及びジョイナー及びその装着方法を説明する斜視図である。
【図２２】  図２１に示すジョイナーを装着したパネルの状態を説明する横断面図である。
【図２３】  図２１に示すジョイナーを装着したパネルに他方のパネルを接続する接続方法を説明する斜視図である。
【図２４】  図２３で接続したパネル同士の接続状態を説明する横断面図である。
【符号の説明】
１０，３０  パネル
１２，３２  板体
１４  ジョイナー
１４ａ  ネジ穴
１４ｂ  長突起部
１４Ｂ  第１長突起部
１４Ｃ  第２長突起部
１６  第１筒状フレーム
１８ 第１長穴
１８ａ，３６ａ  幅広の開口部
１８ｂ、３６ｂ  幅狭の開口部
２０  段付きネジ
２０ａ  頭部
２０ｂ  ネジ部
２０ｃ  小径部
２０ｄ  テーパ部
３４  第２筒状フレーム
３６ 第２長穴
【図１】
0003723542.tif 000002
【図２】
0003723542.tif 000003
【図３】
0003723542.tif 000004
【図４】
0003723542.tif 000005
【図５】
0003723542.tif 000006
【図６】
0003723542.tif 000007
【図７】
0003723542.tif 000008
【図８】
0003723542.tif 000009
【図９】
0003723542.tif 000010
【図１０】
0003723542.tif 000011
【図１１】
0003723542.tif 000012
【図１２】
0003723542.tif 000013
【図１３】
0003723542.tif 000014
【図１４】
0003723542.tif 000015
【図１５】
0003723542.tif 000016
【図１６】
0003723542.tif 000017
【図１７】
0003723542.tif 000018
【図１８】
0003723542.tif 000019
【図１９】
0003723542.tif 000020
【図２０】
0003723542.tif 000021
【図２１】
0003723542.tif 000022
【図２２】
0003723542.tif 000023
【図２３】
0003723542.tif 000024
【図２４】
0003723542.tif 000025